(57)【要約】  本開示は、吹出空気の向きを一方向に変化させると共にその一方向に交差する他方向にも変化させることを可能としつつ、部品点数の増加を抑えることができる空気吹出装置を提供する。  空気吹出装置の吹出部（１２）には、第１方向（ＤＲ１）の一方側を向いて開口し空気を車室内へ吹き出す吹出口（１２１）と、空気を吹出口へ導く吹出通路（１２２）とが形成されている。また、空気吹出装置の気流操作部材（１４）は吹出通路内に配置され、ガイド壁（１４２）と本体部（１４１）とを有する。気流操作部材は、吹出通路の一部である一方側通路（１２２ａ）を流れる空気の流れを絞ることにより吹出部の通路ガイド面（１２３ａ）に沿わせる第１作動状態と、その空気の流れに対する絞りを緩める第２作動状態とに切り替わる。ガイド壁は、気流操作部材が第１作動状態にあるときには、本体部から第１方向の一方側へ突き出るように配置される。そして、ガイド壁は、気流操作部材が第２作動状態にあるときには、吹出口へ向かう空気を案内し、その案内される空気の流れの、第１方向および第２方向に交差する第３方向（ＤＲ３）の向きを規制する。
2017221551.tif 000002
【特許請求の範囲】
【請求項１】
車室内へ空気を吹き出す空気吹出装置であって、  一軸線（ＣＬ１）に沿った第１方向（ＤＲ１）の一方側を向いて開口し空気を車室内へ吹き出す吹出口（１２１）と該吹出口に連結され空気を該吹出口へ導く吹出通路（１２２）とが形成され、通路ガイド面（１２３ａ）を有する吹出部（１２）と、  前記吹出通路内に配置され、ガイド壁（１４２）と本体部（１４１）とを有する気流操作部材（１４）とを備え、  前記通路ガイド面は、前記第１方向に交差する第２方向（ＤＲ２）で前記吹出通路の一方側に位置して該吹出通路に面し、前記第２方向の前記一方側へ曲がりながら、前記第１方向の前記一方側とは逆側の他方側から該一方側へと延びており、  前記気流操作部材は、  前記本体部に対し前記第２方向の前記一方側に位置する一方側通路（１２２ａ）を前記吹出通路の一部として形成し、  前記一方側通路を流れる空気の流れを該一方側通路への空気の流入前に比して前記本体部で絞ることにより前記通路ガイド面に沿わせる第１作動状態と、前記一方側通路を流れる空気の流れに対する絞りを前記第１作動状態に比して緩める第２作動状態とに切り替わり、  前記ガイド壁は、  前記気流操作部材が前記第１作動状態にあるときには前記本体部から前記第１方向の前記一方側へ突き出るように配置され、  前記気流操作部材が前記第２作動状態にあるときには、前記吹出口へ向かう空気を案内し、該案内される空気の流れの、前記第１方向および前記第２方向に交差する第３方向（ＤＲ３）の向きを規制する空気吹出装置。
【請求項２】
前記気流操作部材は前記ガイド壁を複数有し、  該ガイド壁のうちの少なくとも１つは、前記気流操作部材が前記第２作動状態にあるときに、前記第１方向の前記一方側ほど、前記第３方向において前記本体部が占める幅（Ｗｆ）の中心から離れるように前記一軸線に対して傾斜する請求項１に記載の空気吹出装置。
【請求項３】
前記気流操作部材は、一方側ガイド壁群（１４４）を構成する前記ガイド壁を複数有すると共に、他方側ガイド壁群（１４５）を構成する前記ガイド壁を複数有し、  前記一方側ガイド壁群は、前記他方側ガイド壁群に対し前記第３方向の一方側に配置され、  前記気流操作部材が前記第２作動状態にあるときに、前記一方側ガイド壁群を構成する複数の前記ガイド壁の何れか又は全部は、前記第１方向の前記一方側ほど前記第３方向の前記一方側に位置するように前記一軸線に対して傾斜し、前記他方側ガイド壁群を構成する複数の前記ガイド壁の何れか又は全部は、前記第１方向の前記一方側ほど前記第３方向の前記一方側とは逆側の他方側に位置するように前記一軸線に対して傾斜する請求項１に記載の空気吹出装置。
【請求項４】
前記気流操作部材が前記第２作動状態にあるときに、前記一方側ガイド壁群の複数の前記ガイド壁は、前記第３方向でより前記一方側に配置されたものほど、該ガイド壁の前記第１方向の前記一方側が前記第３方向の前記一方側へと前記一軸線に対して大きく傾斜する請求項３に記載の空気吹出装置。
【請求項５】
前記気流操作部材が前記第２作動状態にあるときに、前記他方側ガイド壁群の複数の前記ガイド壁は、前記第３方向でより前記他方側に配置されたものほど、該ガイド壁の前記第１方向の前記一方側が前記第３方向の前記他方側へと前記一軸線に対して大きく傾斜する請求項３または４に記載の空気吹出装置。
【請求項６】
前記一方側ガイド壁群は、前記本体部の中央部分を境に前記第３方向の前記一方側に配置された複数の前記ガイド壁から構成され、  前記他方側ガイド壁群は、前記本体部の中央部分を境に前記第３方向の前記他方側に配置された複数の前記ガイド壁から構成されている請求項３ないし５のいずれか１つに記載の空気吹出装置。
【請求項７】
前記気流操作部材は、前記第３方向に沿った回動軸線（ＣＬ３）まわりに回動することで、前記第１作動状態と前記第２作動状態とに切り替わり、  前記ガイド壁は、前記本体部から突き出て凸状に湾曲した端縁（１４２ａ）を有している請求項１ないし６のいずれか１つに記載の空気吹出装置。
【請求項８】
前記気流操作部材は、前記本体部に対し前記第２方向の前記一方側とは逆側の他方側に位置する他方側通路（１２２ｂ）を前記吹出通路の一部として形成し、  前記気流操作部材が前記第２作動状態にあるときには、前記他方側通路の通路断面積が前記一方側通路の通路断面積に比して大きく、前記ガイド壁は前記他方側通路へ突き出るように配置される請求項７に記載の空気吹出装置。
【請求項９】
前記気流操作部材の前記本体部はガイド基面（１４１ａ）を有し、  前記ガイド壁は、該ガイド基面の法線方向（ＤＲｇ）に沿って該ガイド基面から突き出ている請求項１ないし８のいずれか１つに記載の空気吹出装置。
【請求項１０】
前記第１方向の前記一方側は車両上方側であり、  前記第２方向の前記一方側は車両後方側であり、  前記第３方向は車両左右方向であり、  前記吹出口は、車室内のインストルメントパネルの上面（７０１）のうち前記車両左右方向において車室内の幅（Ｗｒｍ）の中央部分に設けられると共に、車両のフロントウインドウ（７１）に対し車両下方側に配置される請求項１ないし９のいずれか１つに記載の空気吹出装置。
【発明の詳細な説明】
【関連出願への相互参照】
【０００１】  本出願は、２０１６年６月２０日に出願された日本特許出願番号２０１６−１２１９５７号に基づくもので、ここにその記載内容が参照により組み入れられる。
【技術分野】
【０００２】  本開示は、空気を吹き出す空気吹出装置に関するものである。
【背景技術】
【０００３】  従来、この種の空気吹出装置として、例えば特許文献１に記載されたものがある。この特許文献１に記載された空気吹出装置は、吹出口に連なるダクトと、そのダクトの内部に配置された気流偏向ドアと、吹出口からの空気吹出方向を調整する複数の左右方向調整ドアとを備えている。【０００４】  その気流偏向ドアは、ダクトのうち車両後方側に設けられたガイド面に沿う気流をダクト内に発生させるように作動させられる。【０００５】  また、複数の左右方向調整ドアは、ダクトの内部を流れる気流の車両左右方向の向きを調整することで、吹出口から吹き出される吹出空気の車両左右方向の向きを調整する。この複数の左右方向調整ドアは、気流偏向ドアに対して空気流れ上流側に配置されている。
【先行技術文献】
【特許文献】
【０００６】
【特許文献１】特開２０１４−２１０５６４号公報
【発明の概要】
【０００７】  特許文献１の空気吹出装置では、左右方向調整ドアが設けられているので、吹出空気の向きを車両左右方向に調整することができる。従って、例えば気流偏向ドアによって車両前後方向に変化させられる吹出空気の向きに応じて、その吹出空気の車両左右方向の向きを左右方向調整ドアの調整によって異ならせることが可能である。
【０００８】  しかし、気流偏向ドアに加えて左右方向調整ドアを設けることは、空気吹出装置の部品点数の増加につながる。発明者の詳細な検討の結果、以上のようなことが見出された。
【０００９】  本開示は上記点に鑑みて、吹出空気の向きを一方向に変化させると共にその一方向に交差する他方向にも変化させることを可能としつつ、部品点数の増加を抑えることができる空気吹出装置を提供することを目的とする。
【００１０】  上記目的を達成するため、本開示の１つの観点による空気吹出装置は、車室内へ空気を吹き出す空気吹出装置であって、  一軸線に沿った第１方向の一方側を向いて開口し空気を車室内へ吹き出す吹出口とその吹出口に連結され空気をその吹出口へ導く吹出通路とが形成され、通路ガイド面を有する吹出部と、  吹出通路内に配置され、ガイド壁と本体部とを有する気流操作部材とを備え、  通路ガイド面は、第１方向に交差する第２方向で吹出通路の一方側に位置してその吹出通路に面し、第２方向の一方側へ曲がりながら、第１方向の一方側とは逆側の他方側からその一方側へと延びており、  気流操作部材は、  本体部に対し第２方向の一方側に位置する一方側通路を吹出通路の一部として形成し、  一方側通路を流れる空気の流れをその一方側通路への空気の流入前に比して本体部で絞ることにより通路ガイド面に沿わせる第１作動状態と、一方側通路を流れる空気の流れに対する絞りを第１作動状態に比して緩める第２作動状態とに切り替わり、  ガイド壁は、  気流操作部材が第１作動状態にあるときには本体部から第１方向の一方側へ突き出るように配置され、  気流操作部材が第２作動状態にあるときには、吹出口へ向かう空気を案内し、その案内される空気の流れの、第１方向および第２方向に交差する第３方向の向きを規制する。
【００１１】  これによれば、気流操作部材が第１作動状態と第２作動状態とに切り替わることで、吹出口から吹き出される吹出空気の向きが第２方向に調整される。そして、気流操作部材が第１作動状態にあるときには、気流操作部材のガイド壁は本体部から第１方向の一方側へ突き出るように配置されるので、本体部の空気流れ下流側に位置する。すなわち、そのガイド壁は、吹出口へ向かう空気流れに干渉しにくい配置になる。その一方で、気流操作部材が第２作動状態にあるときには、気流操作部材のガイド壁は吹出口へ向かう空気を案内し、その案内される空気の流れの第３方向の向きを規制する。従って、気流操作部材の作動によって、吹出空気の向きを第２方向に変化させることに連動して第３方向にも変化させることができる。要するに、吹出空気の向きを一方向（例えば、第２方向）に変化させると共に他方向（例えば、第３方向）にも変化させることが可能である。
【００１２】  更に、特許文献１の空気吹出装置が有する左右方向調整ドアに相当する部材は不要であるので、空気吹出装置の部品点数の増加を抑えることができる。
【図面の簡単な説明】
【００１３】
【図１】第１実施形態において、車室内の車両前方部分を車両上方側から見た模式図である。
【図２】図１のII−II断面を示した断面図であって、フェイスモード時における空気吹出装置を示した図である。
【図３】第１実施形態において、気流偏向ドアを単体で示した斜視図である。
【図４】図１のII−II断面を示した断面図であって、デフロスタモード時における空気吹出装置を示した図である。
【図５】図３のV−V断面のうちの一部分を抜粋して示した部分断面図である。
【図６】第１実施形態において、気流偏向ドア単体のガイド基面側を示した平面図である。
【図７】比較例において車室内の車両前方部分を車両上方側から見た模式図であって、第１実施形態の図１に相当する図である。
【図８】第２実施形態において、フェイスモード時における空気吹出装置を示した断面図であって、第１実施形態の図２に相当する図である。
【図９】第２実施形態において、デフロスタモード時における空気吹出装置を示した断面図であって、第１実施形態の図４に相当する図である。
【図１０】第１実施形態の第１変形例において、気流偏向ドア単体のガイド基面側を示した平面図であって、第１実施形態の図６に相当する図である。
【図１１】第１実施形態の第２変形例において、気流偏向ドア単体のガイド基面側を示した平面図であって、第１実施形態の図６に相当する図である。
【図１２】第１実施形態の第３変形例において、気流偏向ドア単体のガイド基面側を示した平面図であって、第１実施形態の図６に相当する図である。
【図１３】第１実施形態の第４変形例において、気流偏向ドア単体のガイド基面側を示した平面図であって、第１実施形態の図６に相当する図である。
【発明を実施するための形態】
【００１４】  以下、図面を参照しながら、本開示の実施形態を説明する。なお、以下の各実施形態相互において、互いに同一もしくは均等である部分には、図中、同一符号を付してある。
【００１５】  （第１実施形態）  図１および図２に示すように、本実施形態の空気吹出装置１０は、車両前方側に配置される空調ユニット２０の吹出口およびダクトに適用されている。図２の矢印ＤＲ１は、第１方向としての車両上下方向ＤＲ１すなわち車両天地方向ＤＲ１を示し、矢印ＤＲ２は、第２方向としての車両前後方向ＤＲ２を示している。また、図１の矢印ＤＲ３は、第３方向としての車両左右方向ＤＲ３すなわち車両幅方向ＤＲ３を示している。これら３つの方向ＤＲ１、ＤＲ２、ＤＲ３は、互いに交差する方向であり、厳密に言えば互いに直交する方向である。
【００１６】  また、本実施形態では、車両上方側は第１方向の一方側に対応し、車両下方側は第１方向の他方側に対応し、車両後方側は第２方向の一方側に対応し、車両前方側は第２方向の他方側に対応する。また、本実施形態において車両幅方向ＤＲ３の一方側は車両右側に対応し、車両幅方向ＤＲ３の他方側は車両左側に対応する。
【００１７】  本実施形態における空調ユニット２０は、インストルメントパネル７０内に配置され車室内へ向けて温度調節された空調空気を吹き出す周知の装置である。例えば、空調ユニット２０は、特許文献１の図２に示された空調ユニットと同じ物である。また、空調ユニット２０は、空気吹出装置１０に対しては、その空気吹出装置１０へ空気を送る送風装置として機能する。
【００１８】  図１および図２に示すように、一般的な車両と同様に、車室内の中でインストルメントパネル７０は車両前方側に配置され、第１座席としての運転席７４ａと、第２座席としての助手席７４ｂとが車室内に収容されている。また、この２つの座席７４ａ、７４ｂは車室内の前席であり、車両幅方向ＤＲ３に並んで、インストルメントパネル７０に対する車両後方側に配置されている。その運転席７４ａは、車両前方側に向かって右側に配置されている。また、助手席７４ｂは、車両前方側に向かって左側に配置されている。この２つの座席７４ａ、７４ｂには乗員７２ａ、７２ｂがそれぞれ着座する。
【００１９】  また、インストルメントパネル７０において運転席７４ａの正面（言い換えれば、運転席７４ａに対する車両前方側）には、ＨＵＤ７６と、計器盤７８１と、その計器盤７８１を覆うメータフード７８２とが配置されている。その計器盤７８１とは、スピードメータおよびタコメータ等を含むメータパネルのことである。また、ステアリングホイール７９が、インストルメントパネル７０から運転席７４ａ側へ突き出るようにして運転席７４ａの正面に配置されている。なお、上記のＨＵＤとは、「Head up display」の略である。
【００２０】  また、インストルメントパネル７０のうち座席７４ａ、７４ｂ側である車両後方側を向いた正面部７０２には、２つのサイドフェイス吹出口７０２ａが設けられている。このサイドフェイス吹出口７０２ａは、正面部７０２のうち車両幅方向ＤＲ３の両端部分に配置されており、空調ユニット２０からの空気を吹き出す。
【００２１】  図１および図２とに示すように、空気吹出装置１０は、空調対象空間である車室内へ空調ユニット２０からの空気を吹き出すと共にその空気の吹出向きを調整する装置である。空気吹出装置１０は、車室内へ空調ユニット２０から流出した空気を吹き出す吹出部１２と、気流操作部材としての気流偏向ドア１４とを備えている。
【００２２】  吹出部１２には、空調ユニット２０からの空気を車室内へ吹き出す吹出口１２１と、吹出通路１２２とが形成されている。その吹出口１２１には吹出通路１２２が連結されている。言い換えれば、その吹出口１２１は、吹出空気流れ方向における吹出通路１２２の下流側端縁でもある。その吹出空気流れ方向とは、吹出口１２１から吹き出される吹出空気の主流の流れ方向であり、その吹出空気流れ方向は、例えば吹出通路１２２内の気流偏向ドア１４よりも上流側では図２の矢印ＡＲａのように上向きになっている。また、吹出空気流れ方向は、気流偏向ドア１４よりも下流側では、気流偏向ドア１４によって変化させられる。
【００２３】  吹出口１２１は、車両上下方向ＤＲ１において上方側を向いて開口している。すなわち、吹出通路１２２のうち少なくとも吹出空気流れ下流側の下流端部は車両上下方向ＤＲ１に沿った向きの通路となっている。そして、吹出口１２１は、車両幅方向ＤＲ３を長手方向とした矩形形状を成している。なお、上記吹出空気流れ下流側とは吹出空気流れ方向の下流側であり、逆に、吹出空気流れ方向の上流側を吹出空気流れ上流側と言う。
【００２４】  また、吹出口１２１は、車室内に設けられたインストルメントパネル７０の上面７０１のうち車両前方寄りに設けられている。従って、吹出口１２１は、車室内に設置された運転席７４ａおよび助手席７４ｂに対し車両前後方向ＤＲ２での前方側に配置されている。そして、吹出口１２１は、車両上方側ほど車両後方側に位置するように傾斜した車両のフロントウインドウ７１に対し車両下方側に配置されている。
【００２５】  更に、吹出口１２１は、インストルメントパネル７０の上面７０１のうち車両幅方向ＤＲ３おいて車室内の幅Ｗｒｍの中央部分に設けられる。また、吹出口１２１が形成された吹出部１２は、インストルメントパネル７０の一部すなわち吹出口１２１周りの部分を構成している。
【００２６】  また、インストルメントパネル７０にはＨＵＤ７６およびメータフード７８２が設けられているので、吹出口１２１の車両幅方向ＤＲ３の幅はＨＵＤ７６およびメータフード７８２によって制限される。例えば、その吹出口１２１は、ＨＵＤ７６とメータフード７８２とに対し車両幅方向ＤＲ３に近接して設けられている。
【００２７】  吹出通路１２２は、空調ユニット２０からの空気を吹出口１２１へ導く。この吹出通路１２２内の空気流れの向きに直交する吹出通路１２２の空気通路断面は、吹出口１２１と同様に車両幅方向ＤＲ３を長手方向とした矩形形状を成している。また、吹出通路１２２が上向きの吹出口１２１に連結しているので、一軸線としての吹出通路１２２の中心軸線ＣＬ１は、車両上下方向ＤＲ１に沿った向きになっている。
【００２８】  また、吹出部１２は、吹出通路１２２に面する通路内壁面１２３を有している。すなわち、吹出通路１２２は、その通路内壁面１２３に取り囲まれることで形成されている。
【００２９】  吹出部１２は、その通路内壁面１２３のうちの一部分を、吹出口１２１から吹き出る空気を案内する通路ガイド面１２３ａとして有している。その通路ガイド面１２３ａは、吹出口１２１の周縁部位１２４から吹出空気流れ上流側へ延設された部分である。
【００３０】  また、通路ガイド面１２３ａは、詳細には、車両前後方向ＤＲ２で吹出通路１２２の一方側（具体的には後方側）に位置してその吹出通路１２２に面している。そして、通路ガイド面１２３ａは、車両後方側へ曲がりながら、車両下方側から車両上方側へと延びている。
【００３１】  また、吹出通路１２２と通路ガイド面１２３ａとの関係に着目すれば、その通路ガイド面１２３ａは、上向きの吹出通路１２２を吹出空気流れ下流側ほど車両後方側へ拡大させる形状を成している。具体的には、通路ガイド面１２３ａは、吹出通路１２２に面する側を凸側として車両上方側ほど車両後方側に位置するように反った湾曲面で構成されている。
【００３２】  また、通路ガイド面１２３ａは、インストルメントパネル７０の上面７０１に連続的に連なるように形成されている。この通路ガイド面１２３ａは、吹出通路１２２に含まれる後方側通路１２２ａから流出する高速気流ＡＣｈを通路ガイド面１２３ａに沿わせて車両前後方向ＤＲ２での後方側へガイドするためのものである。
【００３３】  吹出部１２がこのように通路ガイド面１２３ａを有しているので、吹出口１２１から吹き出される吹出空気は通路ガイド面１２３ａに沿って流れれば、運転席７４ａまたは助手席７４ｂに着座する乗員７２ａ、７２ｂへ向かって吹き出される。その一方で、その吹出空気はその通路ガイド面１２３ａに沿わなければ、吹出口１２１の開口方向である車両上方側へと吹き出される。すなわち、その場合、吹出空気は、吹出口１２１に対し車両上方側に設けられているフロントウインドウ７１へ向かって矢印ＦＬｄのように吹き出される。
【００３４】  気流偏向ドア１４は、図１および図２に示すように、吹出通路１２２内に配置されている。気流偏向ドア１４の作動は、不図示の制御装置から出力される制御信号によって制御される。
【００３５】  図２および図３に示すように、気流偏向ドア１４は車両幅方向ＤＲ３に沿った回動軸線ＣＬ３まわりに回動する板状の回動部材であり、要するに回動式のフラップである。具体的に気流偏向ドア１４は、気流偏向ドア１４の本体部としての板ドア部１４１と、複数のガイド壁１４２と、ドア回動軸１４３とを有している。この板ドア部１４１、ガイド壁１４２、およびドア回動軸１４３は一体成形されて気流偏向ドア１４を構成している。
【００３６】  そのドア回動軸１４３は、車両幅方向ＤＲ３における板ドア部１４１の両端それぞれから車両幅方向ＤＲ３の外側へ突き出ており、吹出部１２の通路内壁面１２３に形成された不図示の嵌合穴に嵌合されている。これにより、気流偏向ドア１４は、吹出部１２に対し、回動軸線ＣＬ３まわりに回動可能に支持されている。
【００３７】  気流偏向ドア１４の板ドア部１４１は、車両幅方向ＤＲ３においては、例えば図１に示すように吹出通路１２２の全幅に及ぶ長さとなっている。従って、板ドア部１４１は、車両幅方向ＤＲ３を長手方向とするように配置されている。そして、板ドア部１４１は例えば矩形の平板形状を成している。
【００３８】  図１および図２に示すように、気流偏向ドア１４は吹出通路１２２内に配置されているので、吹出通路１２２の一部として２本の並列的な空気通路１２２ａ、１２２ｂを形成している。詳細には、気流偏向ドア１４は、車両前後方向ＤＲ２において板ドア部１４１に対し一方側である後方側に位置する第１通路としての後方側通路１２２ａ（すなわち、一方側通路１２２ａ）を、吹出通路１２２の一部として形成している。それと共に、気流偏向ドア１４は、車両前後方向ＤＲ２において板ドア部１４１に対し他方側である前方側に位置する第２通路としての前方側通路１２２ｂ（すなわち、他方側通路１２２ｂ）も、吹出通路１２２の一部として形成している。
【００３９】  また、気流偏向ドア１４は、回動軸線ＣＬ３を中心とした回動角度に応じて、後方側通路１２２ａの通路断面積および前方側通路１２２ｂの通路断面積をそれぞれ増減する。例えば、気流偏向ドア１４は、その気流偏向ドア１４の回動角度の変化により、後方側通路１２２ａの通路断面積を増減する。気流偏向ドア１４は、この気流偏向ドア１４の回動に応じて後方側通路１２２ａの通路断面積を変化させることにより、後方側通路１２２ａの気流速度を増減するものである。
【００４０】  なお、気流偏向ドア１４によって増減される後方側通路１２２ａの上記通路断面積は、後方側通路１２２ａのうち気流偏向ドア１４によって最も狭められた箇所での通路断面積である。そして、その後方側通路１２２ａの通路断面積は、吹出通路１２２が車両上下方向ＤＲ１に延びているので、車両上下方向ＤＲ１を法線方向とした後方側通路１２２ａの断面が有する面積である。このことは、前方側通路１２２ｂの通路断面積に関しても同様である。
【００４１】  ここで、空気吹出装置１０の吹出モードはフェイスモードとデフロスタモードとに択一的に切り替わり、この空気吹出装置１０の吹出モードは、例えば空調ユニット２０の吹出モードと同じになるように切り替えられる。そのフェイスモードとは、前席乗員７２ａ、７２ｂの上半身に向けて空気を吹き出す吹出モードである。また、デフロスタモードとは、前面窓であるフロントウインドウ７１に向けて空気を吹き出し、その前面窓の曇りを晴らす吹出モードである。また、空調ユニット２０の吹出モードは、フェイスモードおよびデフロスタモード以外の他のモードとして、乗員の足元へ空気を吹き出すフットモードに切り替えられることがある。このフットモード時には、例えば空調ユニット２０から空気吹出装置１０への送風通路が閉じられ、空調ユニット２０は空調ユニット２０が有するフット吹出口から空気を吹き出す。
【００４２】  気流偏向ドア１４は、空気吹出装置１０の吹出モードがフェイスモードのときには予め定められた第１作動状態になり、空気吹出装置１０の吹出モードがデフロスタモードのときには予め定められた第２作動状態になる。要するに、気流偏向ドア１４は回動軸線ＣＬ３まわりに回動することにより、空気吹出装置１０の吹出モードに応じて、その第１作動状態と第２作動状態とに択一的に切り替わる。
【００４３】  具体的に、気流偏向ドア１４は第１作動状態になると、図２に示すように、後方側通路１２２ａを流れる空気の流れを後方側通路１２２ａへの空気の流入前に比して板ドア部１４１で絞ることにより、その空気の流れを通路ガイド面１２３ａに沿わせる。
【００４４】  すなわち、気流偏向ドア１４が第１作動状態になると、気流偏向ドア１４によって後方側通路１２２ａの通路断面積が予め実験的に定められた面積閾値よりも小さくされる。これにより、コアンダ効果により通路ガイド面１２３ａに沿って車室内へ吹き出される高速気流ＡＣｈとしての噴流が後方側通路１２２ａに形成されると共に、その高速気流ＡＣｈよりも低速の低速気流ＡＣｓが前方側通路１２２ｂに形成される。
【００４５】  要するに、気流偏向ドア１４は第１作動状態とされた場合には、後方側通路１２２ａを流れる空気の気流速度に応じて得られるコアンダ効果により、その後方側通路１２２ａを流れる空気の流れ（すなわち、高速気流ＡＣｈ）を通路ガイド面１２３ａに沿わせる。それと同時に、前方側通路１２２ｂの低速気流ＡＣｓはコアンダ効果により後方側通路１２２ａの高速気流ＡＣｈに引き寄せられて車両後方側を向く。従って、このように通路ガイド面１２３ａに後方側通路１２２ａの空気流れが沿うことにより、吹出口１２１から吹き出される吹出空気は、車両前後方向ＤＲ２での後方側へ曲げられて流出する。
【００４６】  また、気流偏向ドア１４が第１作動状態にある場合には、後方側通路１２２ａは板ドア部１４１によって絞られているので、前方側通路１２２ｂの空気流量の方が後方側通路１２２ａの空気流量よりも多くなる。
【００４７】  一方で、気流偏向ドア１４は第２作動状態になると、図４に示すように、気流偏向ドア１４が第１作動状態である場合とは異なる気流を吹出通路１２２に形成する。具体的には、気流偏向ドア１４は第２作動状態とされた場合には、第１作動状態である場合と比較して、後方側通路１２２ａの通路断面積を拡大する。要するに、気流偏向ドア１４は、後方側通路１２２ａを流れる空気の流れに対する絞りを、気流偏向ドア１４が第１作動状態である場合に比して緩める。
【００４８】  これにより、気流偏向ドア１４が第２作動状態とされた場合には、第１作動状態である場合に比して、後方側通路１２２ａに形成される気流の流速が低くなる。そして、その後方側通路１２２ａの気流は通路ガイド面１２３ａには殆ど沿わず、吹出口１２１から吹き出される吹出空気は、矢印ＡＣｕのように吹出通路１２２の中心軸線ＣＬ１（図２参照）に沿って上向きに流出する。
【００４９】  また、気流偏向ドア１４は第２作動状態とされた場合には、気流偏向ドア１４の厚み方向を車両前後方向ＤＲ２とした姿勢になる。そして、気流偏向ドア１４の回動軸線ＣＬ３は、車両前後方向ＤＲ２において吹出通路１２２の中心位置よりも後方側に偏って位置している。従って、気流偏向ドア１４が第２作動状態にある場合には、前方側通路１２２ｂの通路断面積の方が後方側通路１２２ａの通路断面積に比して大きい。そのため、気流偏向ドア１４が第２作動状態にある場合にも、前方側通路１２２ｂの空気流量の方が後方側通路１２２ａの空気流量よりも多くなる。
【００５０】  なお、気流偏向ドア１４は、後方側通路１２２ａと前方側通路１２２ｂとの間で気流速度を偏向させることができればよく、後方側通路１２２ａと前方側通路１２２ｂとを完全に分離して形成する必要はない。
【００５１】  図３および図５に示すように、気流偏向ドア１４の板ドア部１４１は平板形状を成しているので、その厚み方向の一方に設けられた一面としてのガイド基面１４１ａと、厚み方向の他方に設けられた他面としてのガイド反対面１４１ｂとを有している。
【００５２】  そして、複数のガイド壁１４２は、ガイド基面１４１ａの法線方向ＤＲｇに沿ってそのガイド基面１４１ａから突き出ている。そのガイド壁１４２はそれぞれ板形状すなわちリブ形状を成している。また、そのガイド壁１４２はそれぞれ、板ドア部１４１から突き出て凸状に湾曲した端縁１４２ａを有している。例えばその端縁１４２ａは円弧形状を成している。
【００５３】  また、気流偏向ドア１４のガイド基面１４１ａの向きは、気流偏向ドア１４の回動動作によって変わる。すなわち、ガイド基面１４１ａは、気流偏向ドア１４が第１作動状態にあるときには第２作動状態にあるときに比して、より車両上方側を向く。また、そのガイド基面１４１ａは、気流偏向ドア１４が第２作動状態にあるときには第１作動状態にあるときに比して、より車両前方側を向く。
【００５４】  詳細には、図２および図３に示すように、気流偏向ドア１４が第１作動状態にあるときには、板ドア部１４１のガイド基面１４１ａは、車両前方側または車両後方側を向くことに比べれば車両上方側を向く。例えば、ガイド基面１４１ａは斜め車両上方側を向く。そのため、その気流偏向ドア１４が第１作動状態にあるときには、複数のガイド壁１４２は、板ドア部１４１から車両上方側へ突き出るように配置される。
【００５５】  ここで、気流偏向ドア１４が第１作動状態にあるときには、図２に示すように、高速気流ＡＣｈと低速気流ＡＣｓと気流偏向ドア１４のガイド基面１４１ａとに囲まれた淀み域Ａｓｔが、板ドア部１４１の吹出空気流れ下流側に生じる。この淀み域Ａｓｔでは、気流偏向ドア１４により空気流れが妨げられることに起因して空気が淀む。そして、気流偏向ドア１４が第１作動状態にあるときには、淀み域Ａｓｔは常に発生する。
【００５６】  従って、気流偏向ドア１４が第１作動状態にあるときには、複数のガイド壁１４２は淀み域Ａｓｔの外に出ないように配置されるので、吹出口１２１へ向かう両気流ＡＣｈ、ＡＣｓに対し干渉しにくい配置になる。
【００５７】  その一方で、図３および図４に示すように、気流偏向ドア１４が第２作動状態にあるときには、板ドア部１４１のガイド基面１４１ａは車両前方側を向く。そのため、その気流偏向ドア１４が第２作動状態にあるときには、複数のガイド壁１４２は、板ドア部１４１から車両前方側へ突き出るように配置される。すなわち、複数のガイド壁１４２は、板ドア部１４１から前方側通路１２２ｂへ突き出るように配置される。このような配置により、その複数のガイド壁１４２は、吹出口１２１へ向かう空気を図３の矢印ＡＣｕのように案内し、その案内される空気流れの車両幅方向ＤＲ３の向きを規制する。なお、図３の矢印ＤＲ１は、気流偏向ドア１４が第２作動状態になったときの車両上下方向ＤＲ１を示しており、このことは後述の図６、および図１０〜１３でも同様である。
【００５８】  例えば本実施形態では、図３および図６に示すように、複数のガイド壁１４２は、相互間隔を空けて車両幅方向ＤＲ３に並んで配置されている。そして、その複数のガイド壁１４２は、車両幅方向ＤＲ３に対称的に配置されている。そのため、気流偏向ドア１４が有する全てのガイド壁１４２を２つのガイド壁群１４４、１４５に分けて認識することができる。
【００５９】  すなわち、気流偏向ドア１４が有する全てのガイド壁１４２は、一方側ガイド壁群１４４を構成する複数のガイド壁１４２と、他方側ガイド壁群１４５を構成する複数のガイド壁１４２とに分けられる。そのように分けられた場合、気流偏向ドア１４が有する全てのガイド壁１４２のうち、板ドア部１４１の中央部分を境に車両幅方向ＤＲ３の一方側（すなわち、車両右側）に配置された複数のガイド壁１４２は、一方側ガイド壁群１４４を構成する。そして、気流偏向ドア１４が有する全てのガイド壁１４２のうち、板ドア部１４１の中央部分を境に車両幅方向ＤＲ３の他方側（すなわち、車両左側）に配置された複数のガイド壁１４２は、他方側ガイド壁群１４５を構成する。
【００６０】  このような一方側ガイド壁群１４４と他方側ガイド壁群１４５との構成から、一方側ガイド壁群１４４は、他方側ガイド壁群１４５に対し車両幅方向ＤＲ３の一方側に配置される。なお、図６ではドア回動軸１４３の図示が省略されており、このことは後述の図１０〜１３でも同様である。
【００６１】  また、図３、図４、および図６に示すように、気流偏向ドア１４が第２作動状態にあるときに、一方側ガイド壁群１４４を構成する複数のガイド壁１４２のうちの何れかは、車両上方側ほど車両幅方向ＤＲ３の一方側に位置するように吹出通路１２２の中心軸線ＣＬ１に対して傾斜する。具体的には、気流偏向ドア１４が第２作動状態にあるときに、一方側ガイド壁群１４４の複数のガイド壁１４２は、車両幅方向ＤＲ３でより一方側に配置されたものほど、ガイド壁１４２の車両上方側が車両幅方向ＤＲ３の一方側へと吹出通路１２２の中心軸線ＣＬ１に対して大きく傾斜する。
【００６２】  そして、他方側ガイド壁群１４５は、一方側ガイド壁群１４４とは車両幅方向ＤＲ３に対称的になっている。すなわち、気流偏向ドア１４が第２作動状態にあるときに、他方側ガイド壁群１４５を構成する複数のガイド壁１４２のうちの何れかは、車両上方側ほど車両幅方向ＤＲ３の他方側に位置するように吹出通路１２２の中心軸線ＣＬ１に対して傾斜する。具体的には、気流偏向ドア１４が第２作動状態にあるときに、他方側ガイド壁群１４５の複数のガイド壁１４２は、車両幅方向ＤＲ３でより他方側に配置されたものほど、ガイド壁１４２の車両上方側が車両幅方向ＤＲ３の他方側へと上記中心軸線ＣＬ１に対して大きく傾斜する。
【００６３】  要するに、一方側ガイド壁群１４４と他方側ガイド壁群１４５との何れでも、気流偏向ドア１４が第２作動状態にある場合において、車両幅方向ＤＲ３で板ドア部１４１の中心位置により近い位置に配置されたガイド壁１４２ほど、そのガイド壁１４２が中心軸線ＣＬ１に対して成す角度が小さくなる。そのため、一方側ガイド壁群１４４と他方側ガイド壁群１４５との各々において、車両幅方向ＤＲ３で板ドア部１４１の最も端寄りに配置されたガイド壁１４２が中心軸線ＣＬ１に対して最も大きく傾斜する。
【００６４】  このようなガイド壁１４２の向きにより、気流偏向ドア１４が第２作動状態にある場合において、一方側ガイド壁群１４４の複数のガイド壁１４２は、吹出空気を吹出口１２１から車両幅方向ＤＲ３の一方側へ拡散させるようにその吹出空気を案内する。それと共に、他方側ガイド壁群１４５の複数のガイド壁１４２は、吹出空気を吹出口１２１から車両幅方向ＤＲ３の他方側へ拡散させるようにその吹出空気を案内する。
【００６５】  上述したように、本実施形態によれば、図２〜４に示すように、気流偏向ドア１４が第１作動状態と第２作動状態とに切り替わることで、吹出口１２１から吹き出される吹出空気の向きが車両前後方向ＤＲ２に調整される。そして、気流偏向ドア１４が第１作動状態にあるときには、気流偏向ドア１４のガイド壁１４２は板ドア部１４１から車両上方側へ突き出るように配置されるので、板ドア部１４１の吹出空気流れ下流側に位置する。すなわち、そのガイド壁１４２は淀み域Ａｓｔの外に出ないように配置され、吹出口１２１へ向かう吹出空気流れに干渉しにくい配置になる。そのため、フェイスモード時においてガイド壁１４２が通風抵抗となることに起因した風量低下を回避することが可能である。
【００６６】  その一方で、気流偏向ドア１４が第２作動状態にあるときには、そのガイド壁１４２は吹出口１２１へ向かう空気を案内し、その案内される空気の流れの車両幅方向ＤＲ３の向きを規制する。従って、気流偏向ドア１４の作動によって、吹出空気の向きを車両前後方向ＤＲ２に変化させることに連動して車両幅方向ＤＲ３にも変化させることができる。要するに、吹出空気の向きを車両前後方向ＤＲ２に変化させると共に車両幅方向ＤＲ３にも変化させることが可能である。
【００６７】  更に、本実施形態の空気吹出装置１０では、特許文献１の空気吹出装置が有する左右方向調整ドアに相当する部材は不要であるので、空気吹出装置１０の部品点数の増加を抑えることができる。そして、その特許文献１の空気吹出装置と比較して、空気吹出装置１０の部品点数の削減により、空気吹出装置１０のコスト低減を図ることが可能である。また、その左右方向調整ドアが無い分、空気吹出装置１０の小型化を図りやすい。
【００６８】  また、本実施形態によれば、図４および図６に示すように、気流偏向ドア１４が第２作動状態にあるときに、一方側ガイド壁群１４４を構成する複数のガイド壁１４２のうちの何れかは、車両上方側ほど車両幅方向ＤＲ３の一方側に位置するように中心軸線ＣＬ１（図２参照）に対して傾斜する。そして、気流偏向ドア１４が第２作動状態にあるときに、他方側ガイド壁群１４５を構成する複数のガイド壁１４２のうちの何れかは、車両上方側ほど車両幅方向ＤＲ３の他方側に位置するように中心軸線ＣＬ１に対して傾斜する。これにより、気流偏向ドア１４が第２作動状態にあるときには、吹出口１２１の正面に対する車両幅方向ＤＲ３の一方側から他方側にかけて吹出空気を幅広く拡散させつつ吹き出させることができる。
【００６９】  また、本実施形態によれば、図４および図６に示すように、気流偏向ドア１４が第２作動状態にあるときに、一方側ガイド壁群１４４の複数のガイド壁１４２は、車両幅方向ＤＲ３でより一方側に配置されたものほど、そのガイド壁１４２の車両上方側が車両幅方向ＤＲ３の一方側へと吹出通路１２２の中心軸線ＣＬ１に対して大きく傾斜する。これにより、気流偏向ドア１４が第２作動状態にあるときには、車両幅方向ＤＲ３において吹出口１２１の正面から一方側にかけて吹出空気を満遍なく拡散させつつ吹き出させることができる。
【００７０】  また、本実施形態によれば、図４および図６に示すように、気流偏向ドア１４が第２作動状態にあるときに、他方側ガイド壁群１４５の複数のガイド壁１４２は、車両幅方向ＤＲ３でより他方側に配置されたものほど、そのガイド壁１４２の車両上方側が車両幅方向ＤＲ３の他方側へと吹出通路１２２の中心軸線ＣＬ１に対して大きく傾斜する。これにより、気流偏向ドア１４が第２作動状態にあるときには、車両幅方向ＤＲ３において吹出口１２１の正面から他方側にかけて吹出空気を満遍なく拡散させつつ吹き出させることができる。
【００７１】  また、本実施形態によれば、図３および図６に示すように、一方側ガイド壁群１４４は、板ドア部１４１の中央部分を境に車両幅方向ＤＲ３の一方側（すなわち、車両右側）に配置された複数のガイド壁１４２から構成される。また、他方側ガイド壁群１４５は、板ドア部１４１の中央部分を境に車両幅方向ＤＲ３の他方側（すなわち、車両左側）に配置された複数のガイド壁１４２から構成されている。これにより、気流偏向ドア１４が第２作動状態にあるときには、吹出口１２１を中心として車両幅方向ＤＲ３に吹出空気を広く拡散させて吹き出させることが可能である。
【００７２】  また、本実施形態によれば、図２〜４に示すように、気流偏向ドア１４は、車両幅方向ＤＲ３に沿った回動軸線ＣＬ３まわりに回動することで、第１作動状態と第２作動状態とに切り替わる。また、ガイド壁１４２はそれぞれ、板ドア部１４１から突き出て凸状に湾曲した端縁１４２ａを有している。従って、気流偏向ドア１４が第１作動状態にあるときにガイド壁１４２が吹出口１２１への空気流れに対して干渉し難いように、ガイド壁１４２を配置することが容易である。
【００７３】  また、本実施形態によれば、図３および図４に示すように、気流偏向ドア１４が第２作動状態にあるときには、前方側通路１２２ｂの通路断面積の方が後方側通路１２２ａの通路断面積に比して大きい。そして、気流偏向ドア１４が第２作動状態にあるときには、ガイド壁１４２は前方側通路１２２ｂへ突き出るように配置される。これにより、気流偏向ドア１４が第２作動状態にあるときに、ガイド壁１４２は、後方側通路１２２ａと前方側通路１２２ｂとのうち空気流量が大きい方の前方側通路１２２ｂにて、吹出口１２１へ向かう空気を案内することになる。そのため、逆に空気流量が小さい方の後方側通路１２２ａでガイド壁１４２が空気を案内する構成と比較して、気流偏向ドア１４が第２作動状態にあるときに吹出空気の向きをガイド壁１４２で効果的に調整することが可能である。
【００７４】  また、本実施形態によれば、図３および図５に示すように、複数のガイド壁１４２はそれぞれ、ガイド基面１４１ａの法線方向ＤＲｇに沿ってそのガイド基面１４１ａから突き出ている。従って、気流偏向ドア１４が射出成形等で一体成型品として生産される場合に、その気流偏向ドア１４を型抜きし易い形状にすることが可能である。
【００７５】  ここで、本実施形態と比較される比較例の空気吹出装置９０について説明する。比較例の空気吹出装置９０は、気流偏向ドア１４がガイド壁１４２を有していないという点で、本実施形態の空気吹出装置１０に対して異なる。そして、比較例の空気吹出装置９０は、それ以外の点では本実施形態の空気吹出装置１０と同じである。
【００７６】  図７に示す比較例の空気吹出装置９０では、デフロスタモード時において吹出空気は矢印ＦＬｅのように或る程度は車両幅方向ＤＲ３に拡散するが、ガイド壁１４２が無いので、吹出空気を車両幅方向ＤＲ３に積極的に拡散させることができない。例えば、フロントウインドウ７１のうち吹出空気が十分に行き渡らない領域Ａｎｇが、フロントウインドウ７１の車両幅方向ＤＲ３における両端の下側部分に生じる。そうなると、その吹出空気が不十分な領域Ａｎｇにおいては、デフロスタモード時における空気吹出装置９０の窓晴らし性能が不十分となる。
【００７７】  これに対し、本実施形態によれば、図１、図３、および図４に示すように、気流偏向ドア１４は複数のガイド壁１４２を有している。そして、吹出口１２１は、車室内のインストルメントパネル７０の上面７０１のうち車両幅方向ＤＲ３において車室内の幅Ｗｒｍの中央部分に設けられると共に、車両のフロントウインドウ７１に対し車両下方側に配置されている。従って、気流偏向ドア１４が第２作動状態にあるときに、ガイド壁１４２の作用によって、フロントウインドウ７１に対し吹出空気を矢印ＦＬｄのように広い範囲に行き渡らせることが可能である。
【００７８】  その結果として例えば、インストルメントパネル７０に設けられた空気吹出装置以外の構造物（例えば、ＨＵＤ７６、計器盤７８１、メータフード７８２など）との干渉を回避しつつ、十分な窓晴らし性能を得ることが可能である。特に、車両幅方向ＤＲ３における両端の下側部分に当たる領域Ａｎｇ（図７参照）でも十分な窓晴らし性能を得ることが可能である。これにより、ＨＵＤ７６、計器盤７８１、およびメータフード７８２等と共に本実施形態の空気吹出装置１０を車両に搭載することができる。
【００７９】  （第２実施形態）  次に、第２実施形態について説明する。本実施形態では、前述の第１実施形態と異なる点を主として説明する。また、前述の実施形態と同一または均等な部分については省略または簡略化して説明する。このことは、本実施形態以降に説明する実施形態でも同様である。
【００８０】  図８および図９に示すように、本実施形態では、気流偏向ドア１４は、矢印ＡＲｆｂのように車両前後方向ＤＲ２へスライド移動する。また、気流偏向ドア１４が有する複数のガイド壁１４２は、略三角形状を成している。これらの点で本実施形態は第１実施形態と異なっている。
【００８１】  具体的に、本実施形態の気流偏向ドア１４の板ドア部１４１は、車両上下方向ＤＲ１を厚み方向とした例えば矩形の平板形状を成している。そして、本実施形態の気流偏向ドア１４は、第１実施形態と同様に、空気吹出装置１０の吹出モードに応じて第１作動状態と第２作動状態とに択一的に切り替わる。
【００８２】  すなわち、気流偏向ドア１４は第１作動状態になると、図８に示すように、後方側通路１２２ａを流れる空気の流れを後方側通路１２２ａへの空気の流入前に比して板ドア部１４１で絞ることにより、その空気の流れを通路ガイド面１２３ａに沿わせる。
【００８３】  その一方で、気流偏向ドア１４は第２作動状態になると、図９に示すように、後方側通路１２２ａを流れる空気の流れに対する絞りを、気流偏向ドア１４が第１作動状態である場合に比して緩める。例えば、気流偏向ドア１４は、第２作動状態では、後方側通路１２２ａの通路断面積を前方側通路１２２ｂの通路断面積よりも大きくする。
【００８４】  また、図８および図９に示すように、略三角形状の複数のガイド壁１４２はそれぞれ、車両上方側の端に頂部１４２ｂを有している。その頂部１４２ｂは、車両前後方向ＤＲ２において板ドア部１４１の幅のうち車両後方側に偏って位置している。なお、本実施形態のガイド壁１４２は、その形状を除き第１実施形態のガイド壁１４２と同様である。
【００８５】  詳細には、第１実施形態と同様に、複数のガイド壁１４２は、気流偏向ドア１４が第１作動状態にあるときには、板ドア部１４１から車両上方側へ突き出るように配置される。ただ、気流偏向ドア１４は回転せずに車両前後方向ＤＲ２にスライド移動するので、複数のガイド壁１４２は、気流偏向ドア１４が第２作動状態にあるときにも、板ドア部１４１から車両上方側へ突き出るように配置される。
【００８６】  また、気流偏向ドア１４は回転せずに車両前後方向ＤＲ２にスライド移動するので、淀み域Ａｓｔは、気流偏向ドア１４が第１作動状態にあるときだけでなく第２作動状態にあるときにも発生する。しかし、図９に示すように、気流偏向ドア１４が第２作動状態にあるときには、後方側通路１２２ａの空気流れＡＣ１の向きと前方側通路１２２ｂの空気流れＡＣ２の向きとに起因して、淀み域Ａｓｔは車両前方側へ偏るように変形する。そして、ガイド壁１４２の頂部１４２ｂは、上記のように、車両前後方向ＤＲ２において板ドア部１４１の幅のうち車両後方側に偏って位置している。
【００８７】  従って、気流偏向ドア１４が第２作動状態にあるときには、ガイド壁１４２は淀み域Ａｓｔから車両後方側へ食み出す。これにより、ガイド壁１４２は吹出口１２１へ向かう吹出空気を案内する。詳細には、ガイド壁１４２は、後方側通路１２２ａの空気流れＡＣ１を案内する。そして、ガイド壁１４２は、その案内される吹出空気の流れの車両幅方向ＤＲ３の向きを規制する。
【００８８】  本実施形態では、前述の第１実施形態と共通の構成から奏される効果を第１実施形態と同様に得ることができる。
【００８９】  （他の実施形態）  （１）上述の各実施形態において、気流偏向ドア１４は多数のガイド壁１４２を有しているが、そのガイド壁１４２の数に限定は無く、例えば、そのガイド壁１４２は１枚であっても差し支えない。
【００９０】  （２）上述の第１実施形態において、一方側ガイド壁群１４４と他方側ガイド壁群１４５との各々に含まれる複数のガイド壁１４２は、気流偏向ドア１４が第２作動状態にあるときには、図６の通り傾斜するが、そのガイド壁１４２の姿勢は種々想定される。例えば、後述の図１０〜１３に示されるガイド壁１４２が想定される。
【００９１】  図１０は、第１実施形態に対する第１変形例を示している。その第１変形例では、気流偏向ドア１４が第２作動状態にあるときに、一方側ガイド壁群１４４を構成する全部のガイド壁１４２は、車両上方側ほど車両幅方向ＤＲ３の一方側に位置するように吹出通路１２２の中心軸線ＣＬ１（図２参照）に対して傾斜する。そして、気流偏向ドア１４が第２作動状態にあるときに、他方側ガイド壁群１４５を構成する全部のガイド壁１４２は、車両上方側ほど車両幅方向ＤＲ３の他方側に位置するように吹出通路１２２の中心軸線ＣＬ１に対して傾斜する。
【００９２】  更に、図１０の第１変形例では、一方側ガイド壁群１４４の全部のガイド壁１４２は互いに平行になっている。これと同様に、他方側ガイド壁群１４５の全部のガイド壁１４２も互いに平行になっている。
【００９３】  また、図１１は、第１実施形態に対する第２変形例を示している。その第２変形例では、気流偏向ドア１４が第２作動状態にあるときに、一方側ガイド壁群１４４と他方側ガイド壁群１４５とのそれぞれのうち、車両幅方向ＤＲ３における板ドア部１４１の幅の中央寄りに配置されたガイド壁１４２は、中心軸線ＣＬ１に沿った向きなる。それと共に、一方側ガイド壁群１４４のうちその中央寄りのガイド壁１４２を除く残りのガイド壁１４２は、車両上方側ほど車両幅方向ＤＲ３の一方側に位置するように吹出通路１２２の中心軸線ＣＬ１に対して傾斜する。そして、他方側ガイド壁群１４５のうちその中央寄りのガイド壁１４２を除く残りのガイド壁１４２は、車両上方側ほど車両幅方向ＤＲ３の他方側に位置するように吹出通路１２２の中心軸線ＣＬ１に対して傾斜する。
【００９４】  また、図１２は、第１実施形態に対する第３変形例を示している。その第３変形例では、一方側ガイド壁群１４４と他方側ガイド壁群１４５とのそれぞれに含まれるガイド壁１４２の傾斜の傾向は、第２変形例と同様である。但し、図１１の第２変形例では、それぞれのガイド壁１４２は、ガイド基面１４１ａに沿った向きでの一方側の一端と他方側の他端との間で直線的に延びるように形成されている。これに対し、図１２の第３変形例では、気流偏向ドア１４が第２作動状態にあるときに中心軸線ＣＬ１に対して傾斜するガイド壁１４２は、その一方側の一端から他方側の他端に至る途中で折れ曲がるように形成されている。そして、その折れ曲がるガイド壁１４２は、気流偏向ドア１４が第２作動状態にあるときに車両上方側が車両下方側よりも中心軸線ＣＬ１に対し大きく傾斜するように折れ曲がる。
【００９５】  また、図１３は、第１実施形態に対する第４変形例を示している。その第４変形例では、一方側ガイド壁群１４４と他方側ガイド壁群１４５とのそれぞれに含まれるガイド壁１４２の傾斜の傾向は、第２変形例と同様である。但し、図１３の第４変形例では、気流偏向ドア１４が第２作動状態にあるときに中心軸線ＣＬ１に対して傾斜するガイド壁１４２は、ガイド基面１４１ａに沿った向きでの一方側の一端と他方側の他端との間で湾曲して延びるように形成されている。そして、その湾曲するガイド壁１４２は、気流偏向ドア１４が第２作動状態にあるときに車両上方側ほど中心軸線ＣＬ１に対し大きく傾斜するように湾曲する。
【００９６】  図６、および図１０〜１３に示した何れの気流偏向ドア１４でも、複数のガイド壁１４２のうちの少なくとも１つは、気流偏向ドア１４が第２作動状態にあるときに、車両上方側ほど、車両幅方向ＤＲ３において板ドア部１４１が占める幅Ｗｆの中心から離れるように、吹出通路１２２の中心軸線ＣＬ１（図２参照）に対して傾斜する。従って、気流偏向ドア１４が第２作動状態にあるときには、吹出空気が吹出口１２１から車両幅方向ＤＲ３へ拡散するように、その吹出空気を吹き出させることが可能である。
【００９７】  なお、気流偏向ドア１４が第２作動状態にあるときの、中心軸線ＣＬ１に対するガイド壁１４２の傾斜角度は、例えば車両上方側のガイド壁１４２の一端と車両下方側の他端とを結んだ線分が中心軸線ＣＬ１に対して成す角度として定義することができる。
【００９８】  （３）上述の各実施形態において、吹出口１２１はインストルメントパネル７０の上面７０１に設けられているが、吹出口１２１が設けられる場所に限定はない。
【００９９】  （４）上述の各実施形態において、吹出口１２１は、車両上下方向ＤＲ１において上方側を向いて開口しているが、その上方側以外の方向を向いて開口していることも想定し得る。
【０１００】  （５）上述の第１実施形態では図４に示すように、気流偏向ドア１４が第２作動状態にあるときには、板ドア部１４１のガイド基面１４１ａは車両前方側を向くが、これは一例である。例えば逆に、気流偏向ドア１４が第２作動状態にあるときに板ドア部１４１のガイド基面１４１ａが車両後方側を向くという構成も想定し得る。
【０１０１】  なお、本開示は上記した実施形態に限定されるものではない。本開示は、様々な変形例や均等範囲内の変形をも包含する。また、上記各実施形態において、実施形態を構成する要素は、特に必須であると明示した場合および原理的に明らかに必須であると考えられる場合等を除き、必ずしも必須のものではないことは言うまでもない。
【０１０２】  また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【０１０３】  （まとめ）  上記各実施形態の一部または全部で示された第１の観点によれば、ガイド壁は、気流操作部材が第１作動状態にあるときには本体部から第１方向の一方側へ突き出るように配置される。また、ガイド壁は、気流操作部材が第２作動状態にあるときには、吹出口へ向かう空気を案内し、その案内される空気の流れの第３方向の向きを規制する。
【０１０４】  また、第２の観点によれば、気流操作部材が有するガイド壁のうちの少なくとも１つは、気流操作部材が第２作動状態にあるときに、第１方向の一方側ほど、第３方向において本体部が占める幅の中心から離れるように一軸線に対して傾斜する。従って、気流操作部材が第２作動状態にあるときには、吹出空気が吹出口から第３方向へ拡散するように、その吹出空気を吹き出させることが可能である。
【０１０５】  また、第３の観点によれば、気流操作部材が第２作動状態にあるときに、一方側ガイド壁群を構成する複数のガイド壁の何れか又は全部は、第１方向の一方側ほど第３方向の一方側に位置するように一軸線に対して傾斜する。そして、気流操作部材が第２作動状態にあるときに、他方側ガイド壁群を構成する複数のガイド壁の何れか又は全部は、第１方向の一方側ほど第３方向の他方側に位置するように一軸線に対して傾斜する。これにより、気流操作部材が第２作動状態にあるときには、吹出口の正面に対する第３方向の一方側から他方側にかけて吹出空気を拡散させつつ吹き出させることができる。
【０１０６】  また、第４の観点によれば、気流操作部材が第２作動状態にあるときに、一方側ガイド壁群の複数のガイド壁は、第３方向でより一方側に配置されたものほど、そのガイド壁の第１方向の一方側が第３方向の一方側へと一軸線に対して大きく傾斜する。これにより、気流操作部材が第２作動状態にあるときには、第３方向において吹出口の正面から一方側にかけて吹出空気を満遍なく拡散させつつ吹き出させることができる。
【０１０７】  また、第５の観点によれば、気流操作部材が第２作動状態にあるときに、他方側ガイド壁群の複数のガイド壁は、第３方向でより他方側に配置されたものほど、そのガイド壁の第１方向の一方側が第３方向の他方側へと一軸線に対して大きく傾斜する。これにより、気流操作部材が第２作動状態にあるときには、第３方向において吹出口の正面から他方側にかけて吹出空気を満遍なく拡散させつつ吹き出させることができる。
【０１０８】  また、第６の観点によれば、一方側ガイド壁群は、本体部の中央部分を境に第３方向の一方側に配置された複数のガイド壁から構成される。また、他方側ガイド壁群は、本体部の中央部分を境に第３方向の他方側に配置された複数のガイド壁から構成されている。これにより、気流操作部材が第２作動状態にあるときには、吹出口を中心として第３方向に吹出空気を広く拡散させて吹き出させることが可能である。
【０１０９】  また、第７の観点によれば、気流操作部材は、第３方向に沿った回動軸線まわりに回動することで、第１作動状態と第２作動状態とに切り替わる。また、ガイド壁は、本体部から突き出て凸状に湾曲した端縁を有している。従って、気流操作部材が第１作動状態にあるときにガイド壁が吹出口への空気流れに対して干渉し難いように、ガイド壁を配置することが容易である。
【０１１０】  また、第８の観点によれば、気流操作部材が第２作動状態にあるときには、他方側通路の通路断面積が一方側通路の通路断面積に比して大きい。そして、気流操作部材が第２作動状態にあるときには、ガイド壁は他方側通路へ突き出るように配置される。これにより、気流操作部材が第２作動状態にあるときに、ガイド壁は、一方側通路と他方側通路とのうち空気流量が大きい方の他方側通路にて、吹出口へ向かう空気を案内することになる。そのため、逆に空気流量が小さい方の一方側通路でガイド壁が空気を案内する構成と比較して、気流操作部材が第２作動状態にあるときに吹出空気の向きをガイド壁で効果的に調整することが可能である。
【０１１１】  また、第９の観点によれば、ガイド壁は、気流操作部材のガイド基面の法線方向に沿ってそのガイド基面から突き出ている。従って、気流操作部材が射出成形等で一体成型品として生産される場合に、気流操作部材を型抜きし易い形状にすることが可能である。
【０１１２】  また、第１０の観点によれば、吹出口は、車室内のインストルメントパネルの上面のうち車両左右方向において車室内の幅の中央部分に設けられると共に、車両のフロントウインドウに対し車両下方側に配置される。従って、気流操作部材が第２作動状態にあるときに、ガイド壁の作用によって、フロントウインドウに対し吹出空気を広い範囲に行き渡らせることが可能である。その結果として例えば、インストルメントパネルに設けられた空気吹出装置以外の構造物との干渉を回避しつつ、十分な窓晴らし性能を得ることが可能である。
【図１】
2017221551.tif 000003
【図２】
2017221551.tif 000004
【図３】
2017221551.tif 000005
【図４】
2017221551.tif 000006
【図５】
2017221551.tif 000007
【図６】
2017221551.tif 000008
【図７】
2017221551.tif 000009
【図８】
2017221551.tif 000010
【図９】
2017221551.tif 000011
【図１０】
2017221551.tif 000012
【図１１】
2017221551.tif 000013
【図１２】
2017221551.tif 000014
【図１３】
2017221551.tif 000015
【国際調査報告】
2017221551.tif 000016
2017221551.tif 000017
2017221551.tif 000018
2017221551.tif 000019